(57)【特許請求の範囲】
【請求項１】
底壁、底壁の幅方向の両端に対向して設けられた側壁、及び側壁の上側に底壁と対向して設けられた上壁を有し、前の開口から雄端子が挿入される筒形の胴体と、
胴体の底壁の前端に一体に設けられ且つ上後方へ屈曲する第１屈曲部、第１屈曲部から後方へ延びる中間部、中間部の後端から下前方へ屈曲する第２屈曲部、及び第２屈曲部から前方へ中間部と離間しながら延びる先端部を有して胴体の内部に設けられた板バネと、
板バネ先端部の前端を側壁に係止する第１係止手段と、
板バネ中間部が下方に変位して板バネ先端部に接触した状態で板バネ中間部の上記接触部よりも前の部分を更に下方に一定長さ変位することを許容し且つ下死点で側壁に係止する第２係止手段と、
底壁における板バネの第２屈曲部又は先端部後端が下方に変位して当接する部位よりも前側に開口された可撓片受入孔とを備え、
雄端子が正規位置にくると板バネが先端部前端と第１屈曲部との間を弾性領域として弾性復元力を発揮し、こじり力等が作用すると板バネの第２屈曲部又は先端部後端が下方に変位して底壁に接触し、こじり力等が更に高くなると板バネ中間部が下方に変位して板バネ先端部に接触し、こじり力等が更に高くなると板バネ中間部の上記接触部よりも前の部分が下方に変位し、第２係止手段により側壁に係止されて下死点に止まるように構成したことを特徴とする雌端子。
【請求項２】
係止手段が、板バネの幅方向の両側に突出する突起と、側壁に形成されて突起を嵌合する貫通孔とを備えている請求項１記載の雌端子。
【請求項３】
係止手段が、板バネの幅方向の両側に突出する突起と、側壁に外側へ膨出して形成されて突起を嵌合する膨出部とを備えている請求項１又は２記載の雌端子。
【請求項４】
膨出部が、高さ方向の中央部よりも上下方向にずれた部位に形成されている請求項３記載の雌端子。
【請求項５】
底壁における板バネの第２屈曲部又は先端部後端が下方に変位して当接する部位が凹陥形成されている請求項１ないし４のうちいずれか１項に記載の雌端子。
【発明の詳細な説明】
【０００１】
【発明の属する技術分野】
本発明は、雌コネクタのハウジングに装着される雌端子の技術分野に属し、筒形の胴体の内部に雄端子に接触する板バネを備えたものの改良に関する。
【０００２】
【従来の技術】
前の開口から雄端子が挿入される筒形の胴体と、胴体の内部に設けられた板バネとを備えた雌端子が知られている。特開平９−１４７９５０号公報が開示する雌端子の場合、胴体は底壁と、底壁の幅方向の両端に対向して設けられた側壁と、及び側壁の上側に底壁と対向して設けられた上壁とを有している。板バネは胴体の底壁の前端に一体に設けられ且つ上後方へ屈曲する第１屈曲部と、第１屈曲部から後方へ延びる中間部と、中間部の後端から下前方へ屈曲する第２屈曲部と、及び第２屈曲部から前方へ中間部と離間しながら延びて前端で胴体底壁に接触する先端部とを有している。この雌端子は、更に胴体の底壁から立ち上がる第１立上り片と、板バネ先端部の前端から立ち上がる第２立上り片とを有している。この雌端子の場合、雄端子が胴体の前の開口から正規の位置に挿入されると、先端部の前端が底壁に接触し、板バネが先端部前端と第１屈曲部との間を弾性領域として弾性復元力を発揮し、雄端子との間で適正な接触力が得られる。そして、雄端子が正規位置から若干傾いて挿入されると、こじり力等を受けて先端部が全面で底壁に接触するので、板バネで弾性領域として機能するのは中間部だけになって剛性が高くなり、板バネの過変形が防止される。こじり力等が更に高くなると、中間部が第１立上り片及び第２立上り片に相次いで接触することで板バネの更なる過変形が防止される。
【０００３】
【発明が解決しようとする課題】
雌端子をハウジングに係止する場合、ハウジングの収容室に可撓性を有する可撓片を設け、この可撓片を雌端子に係止することが行われる。その態様には、可撓片を雌端子の底壁に開口した可撓片受入孔に嵌合する第１の態様と、可撓片を胴体の上壁後端に係止する第２の態様とがある。上で述べた雌端子は、板バネの先端部を底壁で受け止めなければならないこと、底壁に第１立上り片を切り起こす部分を確保しなければならないこと、などの理由から底壁に可撓片受入孔を開口する第１の態様を採用することができず、第２の態様を採用せざるを得ない。しかし、そうすれば、可撓片を精密ドライバー等を用いて雌端子から外す場合、精密ドライバー等を奥まで入れて可撓片を押し上げる必要がある。これは視認不可能で勘に頼る作業となるので、作業性が非常に悪いものである。
【０００４】
本発明はこのような点に着目してなされたものであり、その目的とするところは、板バネの先端部前端及び中間部を側壁に係止することにより、雄端子との間で適正な接触力を得ると共に板バネの過変形を防止しながら、底壁に可撓片受入孔を開口できるようにして、可撓片を雌端子から外す作業の作業性を向上させることにある。
【０００５】
【課題を解決するための手段】
上記目的を達成するため、請求項１の雌端子は、底壁、底壁の幅方向の両端に対向して設けられた側壁、及び側壁の上側に底壁と対向して設けられた上壁を有し、前の開口から雄端子が挿入される筒形の胴体と、胴体の底壁の前端に一体に設けられ且つ上後方へ屈曲する第１屈曲部、第１屈曲部から後方へ延びる中間部、中間部の後端から下前方へ屈曲する第２屈曲部、及び第２屈曲部から前方へ中間部と離間しながら延びる先端部を有して胴体の内部に設けられた板バネと、板バネ先端部の前端を側壁に係止する第１係止手段と、板バネ中間部が下方に変位して板バネ先端部に接触した状態で板バネ中間部の上記接触部よりも前の部分を更に下方に一定長さ変位することを許容し且つ下死点で側壁に係止する第２係止手段と、底壁における板バネの第２屈曲部又は先端部後端が下方に変位して当接する部位よりも前側に開口された可撓片受入孔とを備え、雄端子が正規位置にくると板バネが先端部前端と第１屈曲部との間を弾性領域として弾性復元力を発揮し、こじり力等が作用すると板バネの第２屈曲部又は先端部後端が下方に変位して底壁に接触し、こじり力等が更に高くなると板バネ中間部が下方に変位して板バネ先端部に接触し、こじり力等が更に高くなると板バネ中間部の上記接触部よりも前の部分が下方に変位し、第２係止手段により側壁に係止されて下死点に止まるように構成したことを特徴としている。
【０００６】
この雌端子の場合、雌端子をハウジングの収容室に挿入すると、可撓片が可撓片受入孔に嵌合し、雌端子がハウジングに係止される。雄端子を胴体の前の開口から挿入した場合、第１係止手段により板バネの先端部前端を側壁に係止しているので、雄端子が上壁と板バネの間に挿入されて正規の位置にくると、板バネが先端部前端と第１屈曲部との間を弾性領域として弾性復元力を発揮し、雄端子との間で適正な接触力が得られる。こじり力等が作用すると、板バネの第２屈曲部又は先端部後端が下方に変位して底壁に接触し、板バネが中間部のみを弾性領域として弾性復元力を発揮し、こじり力等を受け止めると共に、板バネの過変形が防止される。こじり力等が更に高くなると、板バネ中間部が下方に変位して板バネ先端部に接触するので、これによってこじり力等を受け止めると共に、板バネの過変形が防止される。こじり力等が更に高くなると、板バネ中間部の上記接触部よりも前の部分が下方に変位し、第２係止手段により側壁に係止されて下死点に止まるので、これによってこじり力等を受け止めると共に、板バネの過変形が防止される。このように三段階でこじり力等が受け止められて板バネの過変形が防止される。
【０００７】
その場合、第１係止手段により板バネの先端部の前端を側壁に係止しているので、板バネにおいて底壁に接触する部位が第２屈曲部又は先端部後端、つまり板バネの後端付近になる。また、第２係止手段により板バネ中間部を側壁に係止するので、従来の技術で説明した立ち上がり片が不要となり、これを切り起こす部分を底壁に確保する必要がない。これらのことから、底壁における板バネの第１屈曲部と、板バネの第２屈曲部又は先端部後端が下方に変位して当接する部位との間に可撓片受入孔を開口することができる。これによって可撓片を雌端子から外す作業を胴体の前端付近で行えることになり、視認による作業が可能となり、作業性が向上する。しかも、板バネ中間部の下側で第１屈曲部と先端部前端との間に空間が空いているので、ここに可撓片を逃がすことにより、雌端子の高さが低く維持され、雌端子がコンパクトになる。また、底壁に可撓片受入孔を形成しない雌端子との間で金型の共通化が進んでコスト低減を図られる。さらに従来の立上り片がなくなることで雌端子の展開形状がコンパクトになり、曲げ工程が減り、製造工程の短縮及び加工精度の向上が図られる。
【０００８】
請求項２の雌端子は、請求項１の雌端子において、係止手段が、板バネの幅方向の両側に突出する突起と、側壁に形成されて突起を嵌合する貫通孔とを備えている。
【０００９】
このようにすれば、突起が貫通孔の縁で受け止められることで、板バネ先端部の前端又は板バネ中間部の上記接触部よりも前の部分が側壁に係止される。
【００１０】
請求項３の雌端子は、請求項１又は２の雌端子において、係止手段が、板バネの幅方向の両側に突出する突起と、側壁に外側へ膨出して形成されて突起を嵌合する膨出部とを備えている。
【００１１】
このようにすれば、突起が膨出部の内壁で受け止められることで、板バネ先端部の前端又は板バネ中間部の上記接触部よりも前の部分が側壁に係止される。
【００１２】
請求項４の雌端子は、請求項３の雌端子において、膨出部が、高さ方向の中央部よりも上下方向にずれた部位に形成されている。
【００１３】
このようにすれば、逆差し防止機能が発揮される。すなわち、雌端子をハウジングの収容室に挿入するときに膨出部が嵌合する案内溝を収容室の内壁に奥に向かって設けておく。そうすると、逆差し、つまり雌型端子を上下逆転して収容室に挿入する誤装着がされるときに、膨出部が案内溝に嵌合できないので、雌端子を収容室に挿入することができず、これによって逆差しが防止される。
【００１４】
請求項５の雌端子は、請求項１ないし４のうちいずれか１項に記載の雌端子において、底壁における板バネの第２屈曲部又は先端部後端が下方に変位して当接する部位が凹陥形成されている。
【００１５】
このようにすれば、凹陥部の深さだけ胴体の高さを低く形成することができるので、雌端子がコンパクトになる。
【００１６】
【発明の実施の形態】
以下、本発明の実施の形態を図面に基づいて説明する。図１〜図３は第１の実施形態に係る雌端子を示す。
【００１７】
この雌端子は、前の開口１６から雄端子７０が挿入される筒形の胴体１０と、胴体１０の内部に設けられた板バネ２０とを備えている。胴体１０は底壁１１と、底壁１１の幅方向の両端に対向して設けられた側壁１２、１３と、及び側壁１２、１３の上側に底壁１１と対向して設けられた上壁１４、１５とを備えている。各壁１１ないし１５により前端に開口１６が形成されている。この実施形態の場合、胴体１０は１枚の板を折り曲げることで形成されている。すなわち、胴体１０は、底壁１１と、底壁１１の幅方向の両端からそれぞれ立ち上がる側壁１２、１３と、側壁１２、１３の上端から側方へ延びる上壁１４、１５とを備えている。第１の上壁１４は一方の側壁１２の上端から側方へ延びており、第２の上壁１５は他方の側壁１３の上端から側方へ延びて第１の上壁１４の上側に重なっている。本発明は、この実施形態に限定されるものではなく、底壁、側壁及び上壁を有して筒形に形成された胴体を備えた雌端子を広く対象としている。従って、上壁は重ねることなく一枚の板で構成してもよい。胴体の後端には前後方向からみて略Ｕ字形のバレル９０が一体に設けられている。このバレル９０は、前側に設けられて電線の芯線を圧着するワイヤバレルと、後側に設けられて電線の被覆を圧着するインシュレーションバレルとを備えている。
【００１８】
図２ないし図４に示すように、板バネ２０は、胴体１０の底壁１１の前端に一体に設けられ且つ上後方へ屈曲する第１屈曲部２１と、第１屈曲部２１から後方へ延びる中間部２２と、中間部２２の後端から下前方へ屈曲する第２屈曲部２３と、第２屈曲部２３から前方へ中間部２２と離間しながら延びる先端部２４とを備えている。第１屈曲部２１及び第２屈曲部２３はぞれぞれ側面視で略横向きＵ字形に形成されている。先端部２４は第１屈曲部２１よりも高い位置にあり、先端部２４の前端は第１屈曲部２１よりも後側にあるが、このような寸法は主として後述するハウジングの可撓片８０との関係で適宜に定められる。雄端子７０を挿入する前では、胴体１０の底壁１１と中間部２２との間、及び中間部２２と先端部２４との間にそれぞれ隙間が空いている。必要に応じて中間部２２にはディンプルが形成され、このディンプルにより雄端子７０との接触点を確定するようにしている。
【００１９】
この雌端子は、板バネ２０の先端部２４の前端を側壁１２、１３に係止する第１係止手段３０を備えている。第１係止手段３０は、板バネ２０の先端部２４において幅方向の両側に突出する突起３１と、側壁１２、１３に形成されて突起３１を嵌合する貫通孔３２とを備えている。突起３１が貫通孔３２の縁で受け止められることで、先端部２４の前端が側壁１２、１３に係止される。
【００２０】
この雌端子は、板バネ２０の中間部２２を下方に一定長さ変位することを許容し且つ下死点で側壁１２、１３に係止する第２係止手段４０を備えている。図７に示すように、この第２係止手段４０は、板バネ中間部２２が下方に変位して板バネ先端部２４に接触した状態で機能する。すなわち、第２係止手段４０は、この状態で板バネ中間部２２の上記接触部２２ａよりも前の部分２２ｂを更に下方に一定長さＤだけ変位することを許容し且つこの部分２２ｂを下死点で側壁１２、１３に係止する。第２係止手段４０は、板バネ中間部２２の上記接触部２２ａよりも前の部分２２ｂにおいて幅方向の両側に突出する突起４１と、側壁１２、１３に形成されて突起４１を嵌合する貫通孔４２とを備えている。貫通孔４２は、板バネ中間部２２が板バネ先端部２４に接触した状態（図７に示す状態）での突起４１の位置よりも更に下方にまで形成されており、これによって板バネ中間部２２の上記接触部２２ａよりも前の部分２２ｂが下方に一定長さ変位することを許容している。そして、板バネ２０が下方へ大きな力を受けると突起４１が貫通孔４２の下縁に当接し、これによって板バネ中間部２２の上記接触部２２ａよりも前の部分２２ｂを下死点で側壁１２、１３に係止する。
【００２１】
この雌端子をハウジングに係止する場合、ハウジングの収容室に可撓性を有して先端が上下方向に撓む可撓片８０を設け、この可撓片８０を雌端子に係止する。そのため、底壁１１に可撓片８０が嵌合する可撓片受入孔５０が開口している。この可撓片受入孔５０は、底壁１１における板バネ２０の第２屈曲部２３又は先端部２４の後端が下方に変位して当接する部位よりも前側に形成されている。その場合、可撓片受入孔５０の後端縁を底壁１１における板バネ２０が当接する部位よりも十分前側に設けることが好ましい。そうすれば、板バネ２０が当接する部位が確実に底壁１１の上面になるので、板バネ２０が可撓片受入孔５０の後端縁に接して止まるように設定するよりも、板バネ２０が底壁１１に当接して停止したときの角度が製品ごとに安定することになり、寸法管理が容易となる。６１、６２は底壁１１から下方へ延びるガイド片であり、雌端子のハウジングへの挿入時、ハウジングに形成されたガイド溝に嵌合して雌端子の挿入をガイドする機能を発揮すると共に、逆差し防止機能を発揮する。このガイド片６１、６２は必要に応じて設けられるものである。
【００２２】
底壁１１における板バネ２０の第２屈曲部２３又は先端部２４の後端が下方に変位して当接する部位は凹陥形成され、凹陥部１１ａが形成されている。
【００２３】
雌端子の成形方法は任意であるが、この実施形態の場合、雌端子は１枚の金属板から成形される。すなわち、展開形状で成形された複数の雌端子がランナーに連なった状態で金属板から打ち抜かれ、次いで各部を曲げて雌端子を最終形状に成形し、その後に各雌端子をランナーから切り離すというものである。
【００２４】
従って、この実施形態の雌端子の場合、雌端子をハウジングの収容室に挿入すると、可撓片８０が可撓片受入孔５０に嵌合し、雌端子がハウジングに係止される。雄端子を胴体１０の前の開口１６から挿入した場合、第１係止手段３０により板バネ２０の先端部２４の前端を側壁１２、１３に係止しているので、雄端子７０が上壁１４と板バネ２０の間に挿入されて正規の位置にくると、板バネ２０が先端部２４の前端と第１屈曲部２１との間を弾性領域として弾性復元力を発揮し、雄端子７０との間で適正な接触力が得られる（図５を参照）。こじり力等が作用すると、板バネ２０の第２屈曲部２３又は先端部２４の後端が下方に変位して底壁１１に接触し、板バネ２０が中間部２２のみを弾性領域として弾性復元力を発揮し、こじり力等を受け止めると共に、板バネ２０の過変形が防止される（図６を参照）。こじり力等が更に高くなると、板バネ中間部２２が下方に変位して板バネ先端部２４の前端に接触するので、これによってこじり力等を受け止めると共に、板バネ２０の過変形が防止される（図７を参照）。こじり力等が更に高くなると、板バネ中間部２２が下方に変位し、中間部２２の接触部２２ａよりも前の部分２２ｂが第２係止手段４０により側壁１２、１３に係止されて下死点に止まるので、これによってこじり力等を受け止めると共に、板バネ２０の過変形が防止される（図８を参照）。このように三段階でこじり力等を受け止めて板バネ２０の過変形を防止することができる。
【００２５】
その場合、第１係止手段３０により板バネ２０の先端部２４の前端を側壁１２、１３に係止しているので、板バネ２０において底壁１１に接触する部位が第２屈曲部２３又は先端部２４の後端、つまり板バネ２０の後端付近になる。また、第２係止手段４０により板バネ中間部２２を側壁１２、１３に係止するので、従来の技術で説明した立ち上がり片が不要となり、これを切り起こす部分を底壁１１に確保する必要がない。これらのことから、底壁１１における板バネ２０の第１屈曲部２１と、板バネ２０の第２屈曲部２３又は先端部２４の後端が下方に変位して当接する部位との間に可撓片受入孔５０を開口することができる。これによって可撓片８０を雌端子から外す作業を胴体１０の前端付近で行えることになり、視認による作業が可能となり、作業性が向上する。しかも、板バネ中間部２２の下側で第１屈曲部２１と先端部２４の前端との間に空間が空いているので、ここに可撓片８０を逃がすことにより、雌端子の高さが低く維持され、雌端子がコンパクトになる。また、底壁１１に可撓片受入孔５０を形成しない雌端子との間で金型の共通化が進んでコスト低減を図られる。さらに従来の立上り片がなくなることで雌端子の展開形状がコンパクトになり、曲げ工程が減り、製造工程の短縮及び加工精度の向上が図られる。
【００２６】
本発明の第１係止手段は、板バネ先端部の前端を側壁に係止する機能を発揮するものであればよい。また、本発明の第２係止手段は、板バネ中間部の接触部よりも前の部分を下方に一定長さ変位することを許容し且つ下死点で側壁に係止する機能を発揮するものであればよい。従って、これらの係止手段は、側壁に内方に突出する突起を形成し、板バネにこの突起を嵌合する貫通孔を形成することによっても実現することができる。その場合、突起は側面の一部を切り起こしで形成し、貫通孔は板バネの測縁を折り曲げて貫通加工する。しかし、上記実施形態のように、板バネ２０の幅方向の両側に突起３１、４１を突出させ、側壁１２、１３に突起３１、４１を嵌合する貫通孔３２、４２を形成したときには、打ち抜き加工で形成され、曲げ加工が不要であるので、加工が容易であり、また寸法管理が容易となる。
【００２７】
本発明は、底壁における板バネの第２屈曲部又は先端部後端が下方に変位して当接する部位を平面のままにした実施形態を含む。しかし、この部位を凹陥形成したときには、凹陥部１１ａの深さだけ胴体１０の高さを低く形成することができるので、雌端子がコンパクトになる。
【００２８】
図９は第２実施形態を示す。第２実施形態は第１実施形態とは突起３１、４１の側壁１２、１３への係止構造が異なるが、他の構成は同一である。従って、同一部材には同一符号を付して、第１実施形態の説明をそのまま引用することとする。突起３１、４１の側壁１２、１３への係止構造は次のとうりである。すなわち、側壁１２、１３が外側へ膨出し、これによって突起３１を嵌合する膨出部３２が形成されている。この膨出部３２は例えばシアリング加工で成形される。そして、突起３１が上記膨出部３２に嵌合されている。突起３１が膨出部３２の縁で受け止められることで、先端部２４の前端が側壁１２、１３に係止される。また、図示していないが、側壁１２、１３には突起４１を嵌合する膨出部４２も形成されている。この膨出部４２も例えばシアリング加工で成形される。そして、突起４１が上記膨出部４２に嵌合されている。突起４１が膨出部４２の縁で受け止められることで、板バネ中間部２２の接触部２２ａよりも前の部分２２ｂが側壁１２、１３に係止される。
【００２９】
膨出部３２、４２は、高さ方向の中央部よりも上下方向にずれた部位に形成されている。
【００３０】
第２実施形態の作用及び効果は第１実施形態と同様である。第２実施形態のように、板バネ２０の幅方向の両側に突起３１、４１を突出させ、側壁１２、１３に突起３１、４１を嵌合する膨出部３２、４２を形成したときには、打ち抜き加工及びシアリング加工で形成され、曲げ加工が不要であるので、加工が容易であり、また寸法管理が容易となる。
【００３１】
第２実施形態のように、膨出部３２、４２が、高さ方向の中央部よりも上下方向にずれた部位に形成されているときは、逆差し防止機能が発揮される。すなわち、雌端子をハウジングの収容室に挿入するときに膨出部３２、４２が嵌合する案内溝を収容室の内壁に奥に向かって設けておく。そうすると、逆差し、つまり雌型端子を上下逆転して収容室に挿入する誤装着がされるときに、膨出部３２、４２が案内溝に嵌合できないので、雌端子を収容室に挿入することができず、これによって逆差しが防止される。
【００３２】
本発明は以上の実施形態の特徴を組み合わせた実施形態を全て含む。
【００３３】
【発明の効果】
以上説明したように、請求項１の雌端子は、板バネの先端部前端及び板バネ中間部の接触部よりも前の部分を側壁に係止したので、雄端子との間で適正な接触力を得ると共に板バネの過変形を防止しながら、底壁に可撓片受入孔を開口でき、可撓片を雌端子から外す作業を胴体の前端付近で行えることになり、視認による作業が可能となり、作業性を向上させることができる。しかも、板バネ中間部の下側で第１屈曲部と先端部前端との間の空間に可撓片を逃がすことができるので、雌端子をコンパクトにすることができる。また、底壁に可撓片受入孔を形成しない雌端子との間で金型の共通化が進んでコスト低減を図ることができ、さらに従来の立上り片がなくなることで雌端子の展開形状をコンパクトにでき、曲げ工程を減らして製造工程の短縮及び加工精度の向上を図ることができる。
【００３４】
請求項２のようにすれば、係止手段を打ち抜き加工等で成形することができるので、加工が容易であり、また寸法管理が容易となる。
【００３５】
請求項３のようにすれば、係止手段をシアリング加工等で成形することができるので、加工が簡便となり、また寸法管理が容易となる。
【００３６】
請求項４のようにすれば、膨出部により逆差し防止機能を果たすことができる
【００３７】
請求項５のようにすれば、凹陥部の深さだけ胴体の高さを低く形成することができるので、雌端子をコンパクトにすることができる。
【図面の簡単な説明】
【図１】第１実施形態の雌端子の斜視図である。
【図２】上記雌端子の一部を断面して見せた斜視図である。
【図３】上記雌端子の側面図である。
【図４】上記雌端子の胴体の縦断面図である。
【図５】雄端子を正規位置に挿入した状態で示す上記雌端子の胴体の縦断面図である。
【図６】雄端子を正規位置から若干傾けて挿入した状態で示す上記雌端子の胴体の縦断面図である。
【図７】雄端子を図６のときよりも更に傾けて挿入した状態で示す上記雌端子の胴体の縦断面図である。
【図８】雄端子を図７のときよりも更に傾けて挿入した状態で示す上記雌端子の胴体の縦断面図である。
【図９】第２実施形態の雌端子の胴体を断面し、板バネの中間部を省略して示す斜視図である。
【符号の説明】
１０  胴体
１１  底壁
１２  側壁
１３  側壁
１４  上壁
１５  上壁
１６  開口
２０  板バネ
２１  第１屈曲部
２２  中間部
２２ａ  接触部
２２ｂ  接触部よりも前の部分
２３  第２屈曲部
２４  先端部
３０  第１係止手段
３１  突起
３２  貫通孔、膨出部
４０  第２係止手段
４１  突起
４２  貫通孔、膨出部
５０  可撓片受入孔
７０  雄端子
８０  可撓片
【図１】
0003576488.tif 000002
【図２】
0003576488.tif 000003
【図３】
0003576488.tif 000004
【図４】
0003576488.tif 000005
【図５】
0003576488.tif 000006
【図６】
0003576488.tif 000007
【図７】
0003576488.tif 000008
【図８】
0003576488.tif 000009
【図９】
0003576488.tif 000010